(57)【要約】【課題】ユーザモードを取り入れて利用形態を拡大した無線基地局装置を提供する。【解決手段】無線基地局装置１に、携帯通信端末装置からの無線信号を取り込み、それが登録済みか否かを検出する認証処理プログラムを処理動作させる制御部８と、この認証処理プログラムの認証結果に対応させた音出力データを格納した記憶部と、この認証処理プログラムの認証結果に基づいて起動した音出力プログラムにより音出力データの中から対応するものを抽出する抽出する抽出手段と、この抽出手段によって取り出したものを音出力するスピーカ１６，１７とを設け、認証処理時に対応する音出力を出力して使用者へのサービスを拡大する。【選択図】図１
2010004334.tif 000002
【特許請求の範囲】
【請求項１】
携帯通信端末装置からの接続要求に対して認証処理を行う制御部を備えた無線基地局装置において、音出力データを格納した記憶部と、前記認証処理により接続要求してきた前記携帯通信端末装置が登録済みか否かを判定したときその判定結果に対応する音出力データを前記記憶部から抽出する抽出手段と、この抽出手段によって抽出した音出力データを用いて音出力するスピーカとを設けたことを特徴とする無線基地局装置。
【発明の詳細な説明】
【技術分野】
【０００１】
本発明は、携帯通信端末装置との間で通信信号の送受信を行う無線基地局装置に関するものである。
【背景技術】
【０００２】
一般に、携帯通信端末装置との間で無線通信を行う無線基地局装置は、ＩＰ網を利用し小型化が進むにつれてより身近に一般ユーザでも扱えるようになっている。例えば、家庭内やオフィス内に設置されて使用されることや、同期要求してきた携帯通信端末装置のユーザ認識ＩＤを予め登録した登録ＩＤテーブルと比較して認証処理を行い、条件を満足する携帯通信端末装置のみ接続するようにした無線基地局装置が知られている（例えば、特許文献１を参照）。
【特許文献１】特開２００８−７９１９２号公報
【発明の開示】
【発明が解決しようとする課題】
【０００３】
しかしながら、無線基地局装置の普及が進むにつれて、今後、無線基地装置側にもユーザモードを取り入れ、かつ事業者ネットワークを利用できる環境を利用したビジネスモデルも到来すると考えられるが、着信通知としての着信メロディ機能などは携帯通信端末装置側に限られて使用されているに過ぎず、ホームユース用の小型な無線基地局装置の活用については余り考慮されていなかった。
【０００４】
本発明の目的は、ユーザモードを取り入れて利用形態を拡大した無線基地局装置を提供することにある。
【課題を解決するための手段】
【０００５】
本発明は上記目的を達成するために、携帯通信端末装置からの接続要求に対して認証処理を行う制御部を備えた無線基地局装置において、音出力データを格納した記憶部と、前記認証処理により接続要求してきた前記携帯通信端末装置が登録済みか否かを判定したときその判定結果に対応する音出力データを前記記憶部から抽出する抽出手段と、この抽出手段によって抽出した音出力データを用いて音出力するスピーカとを設けたことを特徴とする。
【発明の効果】
【０００６】
本発明による無線基地局装置は、携帯通信端末装置からの接続要求を検出し、その携帯通信端末装置が登録済みか否かを判定する認証処理を行ったとき、この認証結果に対応させて記憶部の中から対応付けされた音出力データを抽出することができるので、携帯通信端末装置からの無線信号を取り込む無線基地局装置としての構成を活用すると共に、認証処理を活用して所定の音出力データを抽出し、例えば、接続要求があったことを着信メロディとして、また認証結果を所定の音声としてスピーカから出力することによって無線基地局装置側でのサービスを拡大し、無線基地局装置の使用用途を簡単な構成で一層拡大することができるようになる。
【発明を実施するための最良の形態】
【０００７】
以下、本発明の実施の形態を図面に基づいて説明する。
図１は、本発明の一実施の形態による無線基地局装置を示すブロック構成図である。
無線基地局装置１は、無線アンテナ部２と、この無線アンテナ部２を通して携帯通信端末装置との間で通信信号の送受信を行う無線部３と、送受信信号の変復調処理を行うデジタル変調部４と、送受信に伴う符号化および復号化処理を行うベースバンド処理部５と、上位装置７に接続する有線伝送路を制御するネットワーク制御部６と、ＣＰＵ等で構成されて処理プログラムをメインメモリに展開して起動することにより装置全体の制御を行う制御部８と、音楽、メロディ音、パターン音、音声などの音出力データを格納した記憶部である不揮発性メモリ９と、各種処理プログラムなどを格納した記憶部である半導体メモリ１０と、各種入力および指示を行う操作部１１と、制御部８および操作部１１からの指示に従って表示を行う表示部１２と、抽出した音出力データをデコードして出力するＭＰ３デコーダなどのデコーダ１３と、抽出した音出力データをアナログ変換するＤ／Ａ変換器１４と、制御部８からＯＮ，ＯＦＦ信号を受け取るスピーカ接続用ジャックである音声ジャック１５と、内部スピーカ１６と、外部スピーカ１７とを備えている。
【０００８】
上述した無線基地局装置１は、図示しない携帯通信端末装置との間で送受信を行う構成として基本的には知られているが、ホームユース用小型無線基地局装置として構成され、制御部８で処理される処理プログラムの中には、無線基地局装置１が取り込んだ接続要求無線信号によって処理動作を開始し、その携帯通信端末装置が登録済みか否かを判定する認証処理プログラムを備えており、少なくともこの認証処理プログラムの認証結果に基づいて、これに対応付けされた音出力データを記憶部から抽出して、スピーカ１６，１７で音出力する音出力プログラムを組み込んでいるのが特徴である。この音出力プログラムを実施するために、音出力データなどを格納した記憶部と、認証処理プログラムの認証結果を得たときなどの音出力条件と音出力データとの対応関係を記録した音出力テーブルと、この音出力テーブルを使用して対応する音出力データを抽出する抽出手段と、この抽出手段によって抽出した音出力データを音出力するための音響出力手段であるデコーダ１３、Ｄ／Ａ変換器１４、音声ジャック１５、内部スピーカ１６、外部スピーカ１７などを追加している。
【０００９】
上述した抽出手段は、音出力テーブルの対応関係によって様々な条件で対応する音出力データを抽出することができる。例えば、少なくとも認証処理プログラムの認証結果を得たときに対応する音出力データを抽出するが、携帯通信端末装置からの接続要求を検出したときに着信メロディとして所定の音楽やメロディなどの音出力データを抽出するようにするなど、他の音出力条件を設定することができる。
【００１０】
図２は、上述した無線基地局装置１における認証処理プログラムおよび音出力プログラムの処理動作を示すフローチャートである。
ここでの抽出手段は、認証処理プログラムの認証結果を得たときに対応する音出力データを抽出するように構成した場合を示している。先ず、ステップＳ１で制御部８は、無線部２が携帯通信端末装置からの無線電波を受信したかどうかを監視しており、携帯通信端末装置からの接続要求を受信した場合、ステップＳ２で認証処理プログラムによる処理動作を開始する。この認証処理プログラムは、ステップＳ３に示すようにベースバンド処理部５を通して取り込んだ信号中の認識ＩＤなどから受信先の携帯通信端末装置が登録済みかどうかを判定する処理を含んでいる。
【００１１】
ステップＳ３の判定結果、接続要求してきた携帯通信端末装置が登録されている場合、上述した抽出部は、ステップＳ４で予め音出力テーブルによって関連付けされているパターン化した音出力データを特定し、ステップＳ５で記憶部から対応する音出力データを読み出し、デコーダ１３へ展開する。その後、ステップＳ６でＤ／Ａ変換器１４を通して音出力データを出力すると共に、ステップＳ７では内部スピーカ１６からの出力かどうかを判定し、内部スピーカからの出力であればステップＳ８で内部スピーカ１６から音出力し、外部スピーカからの出力であればステップＳ９で外部スピーカ１７から音出力する。その後、ステップＳ１０では音出力した音出力データが読み出した音出力データの最後であるかどうかを判定し、残りの関連する音出力データがあればステップＳ５から同様に処理する。
【００１２】
先のステップＳ３で、無線電波を受信した携帯通信端末装置が未登録であると判定した場合、音出力プログラムを実施することなくステップＳ１からの監視に戻っても良いが、不正なアクセスと判断した音出力プログラムを実施し、この場合は予め関連付けして決めた警報や警告メッセージなどのパターン化した音出力データを記憶部から抽出し、ステップＳ５４から同様に処理することもできる。また、この不正なアクセスに対しては、後述するように音出力データに基づく出力以外に他の様々な喚起方法で行うこともできる。
【００１３】
このような認証処理プログラムおよび音出力プログラムは、ホームセキュリティシステムに応用することができる。
ここでホームユース用としての無線基地局装置１は、ホームセキュリティシステムと連動して家庭内に設置され、携帯通信端末装置を用いての認証完了後に音出力プログラムによる音出力音を行うと共に、出入口の解錠または施錠を行うようにシステム構成されている。ステップＳ１で制御部８は、携帯通信端末装置からの無線電波を受信したかどうかを監視しており、携帯通信端末装置から解錠のための認証コマンドを受信した場合は、ステップＳ２で認証処理プログラムによる処理を開始する。この認証処理プログラムの中では、ステップＳ３に示すように受信先の携帯通信端末装置が登録済みかどうかを判定し、この認証処理に連動して音出力プログラムが開始される。
【００１４】
ステップＳ３の判定結果、その携帯通信端末装置が既に登録されている場合は、上述した抽出手段は、ステップＳ４で予め音出力テーブルによって関連付けられている「お帰りなさい」というパターン化した音声出力データを選定し、ステップＳ５で記憶部から対応する音出力データを読み出す。その後、デコーダ１３でデコードしステップＳ６でＤ／Ａ変換器１４を通してアナログ変換した音出力データを出力すると共に、ステップＳ７では内部スピーカ１６からの出力かどうかを判定し、外部スピーカ１７からの出力と判定した場合はステップＳ９で外部スピーカ１７から「お帰りなさい」と音声出力する。この認証結果は、ホームセキュリティシステムに通知され、出入口を解錠したり照明を点灯したりすることができる。
【００１５】
一方、登録されている携帯通信端末装置から、施錠のための認証コマンドを送信すると、同様にして外部スピーカ１７から例えば「行ってらっしゃい」と音声出力し、扉を施錠したり照明を消したりすることができる。また、このようなホームセキュリティシステムでは、ステップＳ３では受信先の携帯通信端末装置が登録済みかどうかを判定した結果、登録されていない携帯通信端末装置が用いられていた場合、他人が侵入を試みていると判定して、室内の電灯を点滅させて警告することもできるし、上述した場合と同様にして予め登録した音出力データの中から警告を促す音声、あるいはパターン音などを出力することもできる。
【００１６】
このように家庭内に配置した無線基地局装置１は、携帯通信端末装置からの接続要求に対して認証処理プログラムを開始し、それが登録済みか否かを検出したとき音出力プログラムの処理を開始するようにし、しかも、音出力データを格納した記憶部と、この認証処理プログラムの認証結果に基づいて対応する音出力データを抽出する抽出手段と、この抽出手段によって取り出した音出力データに基づいて音出力するスピーカ１６，１７などの音響出力手段とを設けているため、携帯通信端末装置からの無線信号を取り込む無線基地局装置１としての構成を活用すると共に、認証処理プログラムを活用して、その結果をスピーカ１６，１７からの音出力として出力して無線基地局装置１側での使用者へのサービスを拡大するなど、無線基地局装置１の使用用途を簡単な構成で一層拡大することができる。
【００１７】
無線基地局装置１には、上述した機能以外にも種々の機能を追加することができ、例えば、図１に示した構成によって着信時に着信メロディをスピーカ１６，１７から音出力する着信メロディ機能を追加することもできる。しかし、このような構成の場合、音響出力手段によって着信メロディ機能によってメロディを再生しているときに、図２で示した認証処理が開始されることも考えられる。このときの処理動作を図３に示したフローチャートを用いて説明する。
【００１８】
ここでの抽出手段は、認証処理プログラムの認証結果を得たときに対応する音出力データを抽出すると共に、携帯通信端末装置からの接続要求があった場合に対応する音出力データを着信メロディとして抽出するように構成した場合を示している。先ず、ステップＳ１で制御部８は、無線部２で携帯通信端末装置からの無線電波を受信したかどうかを監視しており、携帯通信端末装置からの接続要求を検出した場合、抽出手段は、予め対応付けした音出力テーブルを用いてステップＳ１１で対応する音楽またはメロディを抽出し、内部スピーカ１６から音出力する。これは上述したステップＳ４からステップＳ９までで説明したのと同様に行う。その後、ステップＳ２で認証処理プログラムによる処理動作を開始する。この認証処理プログラムは、ステップＳ３として示すように取り込んだ信号中の認識ＩＤなどから受信先の携帯通信端末装置が登録済みかどうかを判定する処理を含んでいる。
【００１９】
ステップＳ３の判定結果、接続要求してきた携帯通信端末装置が登録されている場合、制御部８は、ステップＳ１２で音響出力手段による上述した着信メロディ再生を中止する。これと共に抽出部は、ステップＳ４で予め音出力テーブルによって関連付けされているパターン化した音出力データを特定し、ステップＳ５で記憶部から対応する音出力データを読み出し、デコーダ１３へ展開する。その後、図１の場合と同様にステップＳ６でＤ／Ａ変換器１４を通して音出力データを出力すると共に、ステップＳ７では内部スピーカ１６からの出力かどうかを判定し、内部スピーカからの出力であればステップＳ８で内部スピーカ１６から音出力し、外部スピーカからの出力であればステップＳ９で外部スピーカ１７から音出力する。その後、ステップＳ１０では音出力した音出力データが読み出した音出力データの最後であるかどうかを判定し、残りの関連する音出力データがあればステップＳ５から同様に処理する。
【００２０】
このような無線基地局装置１によれば、着信時に着信メロディをスピーカ１６，１７から音出力する着信メロディ機能を追加することができ、同様にして音響出力手段を利用して別の条件で音楽データを再生する機能も追加することができる。いずれの場合も、ステップＳ１１で示すように着信メロディ機能によってメロディを再生したり別条件で音楽データを再生したりているときに、認証処理プログラムが開始されても、ステップＳ１２でこの機能による再生を中止するため、ＭＰ３デコーダ１３からスピーカ１６，１７までの音響出力手段を二重に設けることなく、認証プログラムによって開始した音出力プログラムの音出力を優先させて行うことができる。
【００２１】
次に、上述した無線基地局装置１を警備巡回認証システムに適用した場合について説明する。
企業や施設などの警備システムとして、警備員の巡回ルートを予め設定し、警備員は定められたポイントを通る時にチェックシートに記入してほぼ時間通りに巡回したことをチェックするようにしている。この巡回ルート中のポイント毎に上述した無線基地局装置１を配置し、各無線基地局装置１での認証処理を行った時間や順番などをホストサーバで管理して警備巡回認証システムを構成する。各無線基地局装置１は、図２に示した場合と同様に警備員が所持する専用の携帯通信端末装置からの無線電波を受信すると、ステップＳ２で認証処理を開始する。ステップＳ３では受信した携帯通信端末装置が登録済みかどうかを判定し、その結果、既に登録されている場合抽出手段は、ステップＳ４で予め関連付けた音出力データを選定し、ステップＳ５で揮発性メモリ９から対応する音出力データを読み出す。その後、ステップＳ６でデコーダ１３およびＤ／Ａ変換器１４を通して音出力データを出力すると共に、ステップＳ７で判定した方のスピーカ１６，１７から出力する。
【００２２】
このときの音出力データは、単に無線基地局装置１を設置したポイントをほぼ指定時刻に通過したことを警備員に知らせるものであれば、音声データでも、パターン音でもその他でも良い。またホストサーバでの管理の仕方によって、通過時間や順番も音声出力するように対応付けすることもできる。
【００２３】
さらに、上述した無線基地局装置１をセキュリティシステムに適用した場合について説明する。  
企業や施設などの所定の出入口などに上述した無線基地局装置１を設置し、図２に示したフローチャートに従って予め登録された携帯通信端末装置を所持する人だけを判別し、それをスピーカ１６，１７から予め定めたパターンおよびメロディなどの出力音を発して通知するように構成することができる。
【００２４】
一方、予め登録された携帯通信端末装置を所持しない人に対しては、他の赤外線検知器などを併設して検出し、この検出に対応して予め注意を喚起する音声データを決定しておき、ステップＳ４でその音声データを選定し、それ以降は同様に処理し、このときの音声出力によって部外者の立ち入りを制限することができる。また、セキュリティシステムと連動して出入口を通過できる人を機械的に制限することもできる。
【００２５】
さらに、上述した無線基地局装置１は就業管理システムとして使用することもできる。
企業や学校や塾などでは、登録された携帯端末装置を持った人だけが所定のエリアや教室内に入ることができるように管理する就業管理システムが構築されている。この場合も、近傍に上述した無線基地局装置１を配置し、図２に示したフローチャートに従って予め登録された携帯通信端末装置を所持する人だけを判別し、それをスピーカ１６，１７から予め定めたパターン音、例えば「ピンポーン」という音出力を発して通知することができる。
【００２６】
さらに、上述した無線基地局装置は肝試しゲームおよび宝探しゲームに適用することもできる。
予め設定された肝試しや宝探しルート中に複数の通過ポイントを設定し、これらの通過ポイント毎に上述した無線基地局装置１をそれぞれ配置する。各無線基地局装置１はホストサーバに接続されて、このホストサーバでルート順などを管理する。この場合も、図２に示したフローチャートに従って予め登録された携帯通信端末装置を所持する人を判別し、その場所を通過したことをスピーカ１６，１７から予め定めたパターン音、メロディ音、音声などの出力音を発して通知する。このとき、通過した携帯通信端末装置を認識ＩＤ等によって認識して参加者を識別すると、参加者毎に各種データを管理することができ、ルート順を間違えた場合にはホストサーバからの指示でルート順の間違いを通知する別の音声メッセージなどの音出力データを取り出し、スピーカ１６，１７から通知したり、順番や参加者毎の所要時間を管理することもできる。このゲームで、所定の無線基地局装置１を通過したことだけを通知する場合は、「ピーピーピーピー」という出力音でも良いし、各無線基地局装置１毎に出力音を変えて設定しても良い。
【００２７】
本発明の無線基地局装置は、上述した各使用形態からも分かるように図２に示したステップＳ３で携帯通信端末装置の所持者が登録済みであることを検出しているが、登録されていないことを検出し、その検出者に対して不正なアクセスを注意喚起するなどのステップＳ４以降の音出力処理を行うようにしても同様の効果がある。従って、本発明による無線基地局装置は、取り込んだ接続要求が登録済みの携帯通信端末装置からであるか否かを検出する認証処理プログラムと、この認証処理プログラムの認証結果に基づいて、予め登録した音出力データの中からこれに関連した音出力データを抽出してスピーカから出力する音出力プログラムとを有するものに適用することができ、認証結果を音出力に反映させて外部に通知することができる。こうして無線基地局装置は、その構成を活用してユーザモードのサービスを拡大することができる。
【産業上の利用可能性】
【００２８】
本発明による無線基地局装置は、上述した使用形態以外の分野にも適用することができる。
【図面の簡単な説明】
【００２９】
【図１】本発明の一実施の形態による無線基地局装置を示すブロック構成図である。
【図２】図１に示した無線基地局装置による処理動作を示すフローチャートである。
【図３】図１に示した無線基地局装置による他の処理動作を示すフローチャートである。
【符号の説明】
【００３０】
１    無線基地局装置
２    無線アンテナ部
３    無線部
４    デジタル変調部
５    ベースバンド処理部
６    ネットワーク制御部
７    上位装置
８    制御部
９    不揮発性メモリ
１０    半導体メモリ
１１    操作部
１２    表示部
１３    デコーダ
１４    Ｄ／Ａ変換器
１５    音声ジャック
１６    内部スピーカ
１７    外部スピーカ
【図１】
2010004334.tif 000003
【図２】
2010004334.tif 000004
【図３】
2010004334.tif 000005